(57)【要約】【課題】ピンインサートをコネクタケースに固定ねじで固定した状態で、ピンインサートがコネクタケースに対して偏心および傾きのないマイクロホンコネクタおよびこれを用いたマイクロホンを得る。【解決手段】コネクタケース１内にピンインサート５が挿入され、ピンインサート５がねじ１０でコネクタケース１に固定され、コネクタケース１の内径に対してピンインサート５の外径が小さく、コネクタケース１の内周面とピンインサート５の外周面との間に隙間が生じている。上記隙間に、この隙間を埋める円弧形状の補完部材が２０介在している。コネクタケース１の内周面が抜きテーパになっていて、補完部材２０の外周面は、コネクタケース１の内周面のテーパに対応したテーパ面になっている。【選択図】図１
2008092371.tif 000002
【特許請求の範囲】
【請求項１】
コネクタケース内にピンインサートが挿入され、ピンインサートがねじでコネクタケースに固定され、コネクタケースの内径に対してピンインサートの外径が小さく、コネクタケースの内周面とピンインサートの外周面との間に隙間が生じているマイクロホンコネクタであって、
上記隙間に、この隙間を埋める円弧形状の補完部材が介在しているマイクロホンコネクタ。
【請求項２】
コネクタケース内にピンインサートが挿入され、ピンインサートがねじでコネクタケースに固定され、コネクタケースの内径に対してピンインサートの外径が小さく、テーパ状に形成されているコネクタケースの内周面とピンインサートの外周面との間に隙間が生じているマイクロホンコネクタであって、
上記隙間に、この隙間を埋める円弧形状の補完部材が介在し、
上記補完部材の外周面は、コネクタケースの内周面のテーパに対応したテーパ面になっているマイクロホンコネクタ。
【請求項３】
ピンインサートは、ベースと、このベースを貫いてベースに固着された複数のピン接点と、ベースの半径方向にねじ込まれていてコネクタケースの内周面に当接することによりピンインサートをコネクタケース内に固定する固定ねじを備えている請求項１または２記載のマイクロホンコネクタ。
【請求項４】
補完部材は、リングの一部を切り欠いたＣ字状に形成され、切り欠き部分が固定ねじに対する逃げとなっている請求項３記載のマイクロホンコネクタ。
【請求項５】
コネクタケースは、内周側にピンインサートが固定される円筒部と、マイクロホンケースとの結合部とを有し、円筒部と結合部が一体に成形されている請求項１または２記載のマイクロホンコネクタ。
【請求項６】
コネクタケースの円筒部には、ピンインサートのベースまたは補完部材の一端が当接する段部が形成されている請求項５記載のマイクロホンコネクタ。
【請求項７】
マイクロホンケース内にマイクロホンユニットが組み込まれ、マイクロホンケースの一端部にマイクロホンコネクタを有するマイクロホンであって、上記マイクロホンコネクタは請求項１〜６のいずれかに記載されているマイクロホンコネクタであるマイクロホン。
【請求項８】
マイクロホンコネクタは、マイクロホンケースとの結合部と円筒部とが一体に成形されてなるコネクタケースを有し、上記円筒部にマイクロホンコネクタを構成するピンインサートが組み込まれ、上記結合部にマイクロホンケースが結合されている請求項７記載のマイクロホン。
【発明の詳細な説明】
【技術分野】
【０００１】
本発明は、コネクタケースにピンインサートを組み込んだマイクロホンコネクタおよびこれを備えたマイクロホンに関するものであって、コネクタケースに対するピンインサートの偏心と傾きを軽減することができる構造に関するものである。
【背景技術】
【０００２】
マイクロホンによって電気音響変換された音声信号は、平衡シールドケーブルによってマイクロホン本体から外部に出力される。マイクロホンと平衡シールドケーブルは、例えば、３ピンタイプのマイクロホンコネクタによって着脱することができるようになっている。マイクロホンコネクタは、例えば、ＥＩＡＪ  ＲＣ−５２３６［音響機器用ラッチロック式丸型コネクタ］（非特許文献１参照）で規定されているコネクタのように、規格化されたものが一般に用いられる。
【０００３】
非特許文献１に記載されている規格化されたマイクロホンコネクタのマイクロホン側コネクタは雄型のコネクタで、ピンインサートがコネクタケース内に配置され、ピンインサートとコネクタケースがねじで結合されている。図６、図７はその例を示すもので、符号１はコネクタケースを、５はピンインサートを、１０は固定ねじをそれぞれ示している。コネクタケース１は、コネクタ部を形成する円筒部１１と、この円筒部１１の一端部から半径方向に拡大したマイクロホンケースとの結合部１２が形成されている。コネクタケース１の円筒部１１の周壁にはネジ１０を回転させるドライバを挿入するための丸孔１３が形成されている。
【０００４】
コネクタケース１の円筒部１１の中にはピンインサート５が挿入されている。ピンインサート５は、絶縁材料、例えば成形樹脂からなるベース３と、ベース３を厚さ方向に貫通しかつベース３に一体に設けられた接続ピン７，８，９を有してなる。ベース３は外周が上記円筒部１１の内周に沿った円柱状に形成され、外周面から半径方向中心に向かってねじ孔４が形成されている。ベース３は上記円筒部１１の軸線方向の略中央部にあり、かつ、上記ねじ孔４にねじ込まれている固定ねじ１０と上記円筒部１１の丸孔１３とが対応した位置関係になっていて、丸孔１３からドライバを挿入して固定ねじ１０を回転させることができるようになっている。固定ねじ１０はベース３の外周面から半径方向外方に向かって突出し、固定ねじ１０の肩に相当する部分が上記円筒部１１の内周面に当たり、ベース３の固定ねじ１０の挿入部とは反対側の外周部が円筒部１１の内周面に押し当てられることにより、ピンインサート５がコネクタケース１の円筒部１１内に固定されている。
【０００５】
接続ピン７，８，９はベース３を厚さ方向に貫いていて、一端側（図６において右端側）はコネクタケース１内において円筒部１１の中心軸線と略平行に伸びている。接続ピン７，８，９の他端側はコネクタケース１のマイクロホンケースとの結合部１２の方を向いていて、マイクロホンの適宜の回路、たとえば回路基板の所定の回路パターンなどに電気的に接続される。上記円筒部１１の後端（図６において右端）からは、例えば、マイクロホンケーブルの一端に設けられたメス型のコネクタが挿入され、メス型コネクタの電気接点に接続ピン７，８，９が嵌まって、双方のコネクタが電気的に接続されるようになっている。
【０００６】
以上述べたような従来のマイクロホンコネクタは、コネクタケース１の円筒部１１内にピンインサート５を挿入し、固定ねじ１０でピンインサート５を上記円筒部１１に固定する構造になっているため、円筒部１１の内径に対してピンインサート５のベース３の外径を小さくする必要がある。そのため、固定ねじ１０をピンインサート５のベース３から引き上げて、すなわち半径方向外側に突出させてピンインサート５を固定した状態では、図６、図７に示すように、円筒部１１の内周面と上記ベース３との間に隙間が生じる。隙間は最大で０．７ｍｍ程度になる。この隙間が生じることによって、図９に示すように円筒部１１とピンインサート５との間に０．４ｍｍ程度の偏心が生じる。この偏心が小さければ大きな問題はないが、偏心が大きくなると、マイクロホンにケーブルを接続することができなくなる。あるいは、接続することができたとしても、双方のコネクタにがたつきを生じて接触不良を起こし、接触雑音を発生する、といった問題を生じる。このような問題が生じないように、上記円筒部１１の内周面とピンインサート５のベース３の外周面との間に隙間が生じないようにして上記偏心を小さくしようとすると、コネクタケース１内にピンインサート５を挿入することができないかまたは挿入しにくくなり、組立が困難になる。
【０００７】
また、円筒部１１の内周面と上記ベース３の外周面との間に隙間が生じていると、固定ねじ１０をドライバで回転させてピンインサート５のベース３から引き上げ、ベース３を上記円筒部１１の内周面のテーパ面に当接させさせようとすると、図８に示すように、頭部が丸孔１３に嵌まっている固定ねじ１０を中心としてベース３に回転モーメントが生じ、ベース３およびこのベース３を含むピンインサート５が上記隙間で許される範囲内で回転し、ピンインサート５の中心軸線が円筒部１１の中心軸線に対して傾く。この傾きが生じることにより、マイクロホンにケーブルを接続することができない、あるいは、接続することができたとしても、双方のコネクタにがたつきを生じて接触不良を起こし、接触雑音を発生する、といった前述の問題を生じる。
【０００８】
コネクタケース１は、製造コストの低廉化のために、亜鉛などを材料にしたダイカストで作成されることが多い。ダイカスト製品は、金型で成形した製品を金型から円滑に取り出すことができるように、成形面に傾斜がつけられる。上記コネクタケース１の場合、円筒部１１の内周面に角度αの傾斜が付けられている。この傾斜αは上記円筒部１１の内周面全体に付けられているためテーパ状になっていて、これを抜きテーパと称している。
かかる抜きテーパが存在すると、固定ねじ１０をピンインサート５のベース３から引き上げ、ベース３を上記円筒部１１の内周面のテーパ面に当接させてピンインサート５を固定すると、図９に示すようにピンインサート５が上記テーパ面に倣って傾き、ピンインサート５が偏心しているときと同様の問題を生じる。
【０００９】
本発明に関連のある従来技術として、マイクロホン側に設けられたコネクタ本体のコネクタケースに、受け側コネクタ本体と上記マイクロホン側のコネクタ本体との間に形成される隙間に嵌合可能なスリーブを設けたことを特徴とするマイクロホン固定装置が提案されている（例えば、特許文献１参照）。上記スリーブには縦方向（軸線方向）に割りが形成されている。
しかしながら、特許文献１記載の発明は、コネクタケースに対するピンインサートの偏心、傾きに関してはなんら考慮されていない。
【００１０】
【非特許文献１】日本電子工業会規格  ＥＩＡＪ  ＲＣ５２３６  音響機器用ラッチロック式丸型コネクタ
【特許文献１】実開昭６０−６８７８１号公報
【発明の開示】
【発明が解決しようとする課題】
【００１１】
本発明は、前述の従来技術の問題点を解決すること、すなわち、コネクタケース内にピンインサートを挿入し、ピンインサートを固定ねじでコネクタケースに固定する構造になっていて、コネクタケースの内径に対してピンインサートの外径が小さいマイクロホンコネクタにおいて、ピンインサートをコネクタケースに固定ねじで固定した状態で、ピンインサートがコネクタケースに対して偏心することがなく、また傾きのないマイクロホンコネクタおよびこれを用いたマイクロホンを提供することを目的とする。
本発明はまた、コネクタケースが一体成形品で内周面にいわゆる抜きテーパが形成されているものであっても、コネクタケース内にピンインサートを当接させ固定した状態で、ピンインサートの傾きを無くすことができるマイクロホンコネクタおよびこれを用いたマイクロホンを提供することを目的とする。
【課題を解決するための手段】
【００１２】
本発明は、コネクタケース内にピンインサートが挿入され、ピンインサートがねじでコネクタケースに固定され、コネクタケースの内径に対してピンインサートの外径が小さく、コネクタケースの内周面とピンインサートの外周面との間に隙間が生じているマイクロホンコネクタであって、上記隙間に、この隙間を埋める円弧形状の補完部材が介在していることを最も主要な特徴とする。
【００１３】
本発明はまた、コネクタケースの内周面がいわゆる抜きテーパになっているマイクロホンコネクタにおいて、コネクタケースの内周面とピンインサートの外周面との間に生じている隙間に、この隙間を埋める円弧形状の補完部材が介在し、上記補完部材の外周面は、コネクタケースの内周面のテーパに対応したテーパ面になっていることを特徴とする。
上記補完部材は、リングの一部を切り欠いたＣ字状に形成するとよい。
【発明の効果】
【００１４】
コネクタケースの内周面とピンインサートの外周面との間に隙間が生じていることによって、コネクタケース内にピンインサートを組み込むのが容易になる。上記隙間が生じることによって、コネクタケース内にピンインサートを固定した状態で、コネクタケースに対しピンインサートが偏心し、あるいは傾きやすくなるが、上記隙間を埋める補完部材を上記隙間に介在させることにより、コネクタケースに対するピンインサートの偏心、あるいは傾きを解消することができる。
【００１５】
コネクタケースの内周面がいわゆる抜きテーパになっている場合、上記補完部材の外周面は、コネクタケースの内周面のテーパに対応したテーパ面にする。これによって、コネクタケース内にピンインサートを固定した状態で、ピンインサートが上記テーパ面に倣って傾くことを防止することができる。
補完部材をＣ字状に形成すれば、完結したリング状の保管部材である場合に比べて、補完部材およびピンインサートのコネクタケースへの組み込みが容易になる。Ｃ字状の保管部材は、ピンインサート外周面とコネクタケースの内周面とが当接する側において、ピンインサート外周面とコネクタケースの内周面との間に介在させることにより、ピンインサートの偏心および傾きを解消することができる。
【発明を実施するための最良の形態】
【００１６】
以下、本発明にかかるマイクロホンコネクタおよびマイクロホンの実施例について図１ないし図５を参照しながら説明する。図６以下に示す従来例の構成と同じ構成部分には共通の符号を付した。
【００１７】
図１、図２において、符号１はコネクタケースを、５はピンインサートを、１０はねじをそれぞれ示している。コネクタケース１は、コネクタ部を形成する円筒部１１とこの円筒部１１の一端部から半径方向に拡大したマイクロホンケースの後端部との結合部１２が一体成形されることによって形成されている。コネクタケース１の円筒部１１の周壁には固定ねじ１０を回転させるドライバを挿入するための丸孔１３が形成されている。コネクタケース１は、例えば亜鉛を材料とするダイカストによる成形品からなり、上記結合部１２の形成側（図１、図２において左端）を前端、他方を後端とすると、円筒部１１の内周面は、成形後の型抜きを円滑にするために、テーパ面になっている。このテーパ面は「抜きテーパ」といわれるもので、図示の例では、後端側から前端側に向かって緩やかにかつ連続的に内径が大きくなるテーパ面になっている。円筒部１１の内周側には、軸線方向の中間部において、前端側の内径よりも後端側の内径が大きくなることによって段部１５が形成されている。
【００１８】
コネクタケース１の円筒部１１の中にはピンインサート５が挿入されている。ピンインサート５は、絶縁材料、例えば成形樹脂からなるベース３と、ベース３を厚さ方向に貫通しかつベース３に一体に設けられた３本の接続ピン７，８，９を有してなる。ベース３は外周が上記円筒部１１の内周に沿った円柱状に形成され、外周面から半径方向中心に向かってねじ孔４が形成されている。ベース３は上記円筒部１１の軸線方向の略中央部にあり、かつ、上記ねじ孔４にねじ込まれている固定ねじ１０と上記円筒部１１の丸孔１３とが対応した位置関係になっていて、丸孔１３からドライバを挿入して固定ねじ１０を回転させることができるようになっている。固定ねじ１０はベース３の外周面から半径方向外方に向かって突出し、固定ねじ１０の肩に相当する部分が上記円筒部１１の内周面に当たり、ベース３の固定ねじ１０の挿入部とは反対側の外周部が円筒部１１の内周面に向かって押されるように構成されている。
【００１９】
ただし、上記円筒部１１に対するピンインサート５の位置は、上記ベース３の後端が円筒部１１の内周の前記段部１５に当接する位置であって、上記ベース３の位置、したがってピンインサート５の位置が段部１５で規制されるようになっている。このようにして、上記円筒部１１の内周において段部１５よりも前側（図１、図２において左側）に上記ベース３が位置し、この位置における円筒部１１の内径よりもベース３の外径が小さく、円筒部１１の内周面とベース３の外周面との間に隙間が生じるように構成されている。こうすることによって、上記円筒部１１内にピンインサート５を組み込む作業を容易にしている。
【００２０】
ベース３は、上記のようにして固定ねじ１０の挿入部とは反対側の外周部が円筒部１１の内周面に向かって押されるが、ベース３の外周が直接円筒部１１の内周面に当接すると、上記隙間の大きさに対応して、円筒部１１に対しベース３が偏心する。また、ベース３の外周が円筒部１１の内周面の抜きテーパに倣うことによってベース３が傾く。そこで、図１、図２に示す実施例では、図３に示すように、リングの一部を切り欠いた形、すなわちＣ字状に形成された円弧形状の補完部材２０が、円筒部１１の内周面とベース３の外周面との間に生じている隙間に介在し、この隙間を埋めている。補完部材２０は、その切り欠き部分２１が固定ねじ１０に対する逃げとなっていて、固定ネジ１０を中心として円周方向両側の一定範囲に切り欠き部分２１が対応している。ベース３の外周は上記切り欠き部分２１を除いて補完部材２０で囲まれている。したがって、固定ネジ１０の回転によってベース３の固定ねじ１０の挿入部とは反対側の外周部が円筒部１１の内周面に向かって押されると、補完部材２０の介在のもとにベース３の外周が円筒部１１の内周面に押圧される。
【００２１】
補完部材２０の厚さすなわち半径方向の厚さ寸法は、上記円筒部１１の中心軸線とベース３の中心軸線が一致したとき円筒部１１の内周面とベース３の外周面との間に生じる隙間の寸法とほぼ同じになっている。したがって、補完部材２０の介在のもとにベース３の外周が円筒部１１の内周面に押圧されているとき、円筒部１１の中心軸線とベース３の中心軸線が略一致し、円筒部１１に対するベース３の偏心がなくなるかまたは軽減される。また、補完部材２０の外周面は、円筒部１１の内周面の抜きテーパに対応した角度のテーパ面になっていて、補完部材２０の外周面のテーパの向きを、円筒部１１の内周面の抜きテーパの向きに合わせて補完部材２０が配置されている。したがって、円筒部１１の内周面の抜きテーパに倣ったベース３の傾きが補正され、ベース３はその前後の面が円筒部１１の中心軸線に対し直交する姿勢で位置決めされる。
【００２２】
前記接続ピン７，８，９はベース３を厚さ方向に貫いていて、後端側（図１、図２において右端側）はコネクタケース１内において円筒部１１の中心軸線と略平行に伸びている。接続ピン７，８，９の他端側はコネクタケース１のマイクロホンケースとの結合部１２の方を向いていて、マイクロホンの適宜の回路、たとえば回路基板の所定の回路パターンなどに電気的に接続される。上記円筒部１１の後端からは、例えば、マイクロホンケーブルの一端に設けられたメス型のコネクタが挿入され、メス型コネクタの電気接点に接続ピン７，８，９が嵌まって、双方のコネクタが電気的に接続されるようになっている。
【００２３】
図１ないし図３に示す実施例によれば、既に説明したように、コネクタケース１の円筒部１１の内周面とピンインサート５のベース３の外周面との間に隙間が生じるようにしてマイクロホンコネクタの組立作業性を良好にしている。ただし、上記隙間が存在すると上記円筒部１１に対しベース３が偏心し、マイクロホンにケーブルを接続することができなくなり、あるいは、接続することができたとしても、双方のコネクタにがたつきを生じて接触不良を起こし、接触雑音を発生する、といった問題を生じるので、上記隙間を埋める補完部材を介在させた。こうすることによって、円筒部１１とベース３の偏心がなくなり、あるいは軽減され、マイクロホンに対するケーブルの接続が容易になるとともに、マイクロホン側のコネクタとケーブル側のコネクタをがたつきなく接続することができ、接触雑音の発生を防止することができる。
【００２４】
補完部材２０は、リングの一部に切り欠き部部分２１を有するＣ字状に形成され、切り欠き部分２１が固定ねじ１０に対する逃げとなっているため、切り欠き部分２１を除いてピンインサート５のベース３の外周面を覆っている。したがって、ベース３を円筒部１１の内周面に向かって押し付けるために固定ねじ１０を回転させ、固定ねじ１０を中心とした回転モーメントがベース３に加わったとき、ベース３の回転が補完部材２０によって阻止され、ベース３の傾きがなくなり、あるいは軽減される。また、補完部材２０の外周面は、コネクタケース１の円筒部１１の内周のテーパ面に対応したテーパ面になっているため、上記円筒部１１の内周のテーパ面に倣ってピンインサート５の上記ベース３が傾くこともなくなり、あるいは軽減される。このように、ピンインサート５のベース３の傾きがなくなりまたは軽減されることにより、マイクロホンに対するケーブルの接続が容易になるとともに、マイクロホン側のコネクタとケーブル側のコネクタをがたつきなく接続することができ、接触雑音の発生を防止することができる。
【００２５】
図示の実施例では、コネクタケース１の円筒部１１には、ピンインサート５のベース３または補完部材２０の一端が当接する段部１５が形成されている。ピンインサート５のベース３または補完部材２０の一端は上記段部１５で位置規制されるため、コネクタケース１へのピンインサート５の組み込み位置が明確になって組立の作業性が高まる。また、上記ベース３の傾き規制の一助ともなる。
【００２６】
次に、本発明にかかるマイクロホンコネクタを用いたマイクロホンの実施例について説明する。図１、図２に示すように、コネクタケース１のマイクロホンケースとの結合部１２は、円筒形状の突堤１６を有している。この突堤１６には、その外周側から図３、図４に示すように円筒形状のマイクロホンケース３０の下端内周部が嵌められ、止めねじによってマイクロホンケース３０が上記結合部１２に結合されている。マイクロホンケース３０内には適宜数の支柱３１を介してマイクロホンユニット支持体３５が固定され、この支持体３５の上にマイクロホンユニット４０が支持されている。この実施例では、マイクロホンユニット４０が双指向性マイクロホンユニットになっていて、このマイクロホンユニット４０の両面に対向する位置にそれぞれフロントメッシュ３８が配置されている。フロントメッシュ３８はマイクロホンケース３０の上端部に結合されている。
【００２７】
本発明にかかるマイクロホンによれば、前述の構成上の特徴を有するマイクロホンコネクタを備えているため、前述の効果と同様の効果を得ることができるマイクロホンを提供することができる。
【００２８】
本発明の要旨はマイクロホンコネクタとこれを用いたマイクロホンにあり、マイクロホンユニットおよびマイクロホンの形式は上記のような双指向性マイクロホンユニットおよびマイクロホンに限定されない。電気音響変換方式も限定されるものではなく、コンデンサー型、ダイナミック型、リボン型など、どのような方式のものであってもよい。
【図面の簡単な説明】
【００２９】
【図１】本発明にかかるマイクロホンコネクタの実施例を示す縦断面図である。
【図２】上記マイクロホンコネクタの実施例を９０度回転させて示す縦断面図である。
【図３】上記マイクロホンコネクタの実施例中の補完部材を示す正面図である。
【図４】上記マイクロホンコネクタを備えた本発明にかかるマイクロホンの実施例を示す縦断面図である。
【図５】上記マイクロホンの実施例を９０度回転させて示す縦断面図である。
【図６】従来のマイクロホンコネクタの例を示す縦断面図である。
【図７】上記マイクロホンコネクタの従来例を９０度回転させて示す縦断面図である。
【図８】上記従来のマイクロホンコネクタの例における問題点を説明するために示した図６に準じる縦断面図である。
【図９】上記従来のマイクロホンコネクタの例における問題点を説明するために示した図７に準じる縦断面図である。
【符号の説明】
【００３０】
１    コネクタケース
３    ベース
４    ねじ孔
５    ピンインサート
７    ピン接点
８    ピン接点
９    ピン接点
１０    固定ねじ
１１    円筒部
１２    マイクロホンケースとの結合部
１５    段部
２０    補完部材
２１    切り欠き部分
３０    マイクロホンケース
４０    マイクロホンユニット
【図１】
2008092371.tif 000003
【図２】
2008092371.tif 000004
【図３】
2008092371.tif 000005
【図４】
2008092371.tif 000006
【図５】
2008092371.tif 000007
【図６】
2008092371.tif 000008
【図７】
2008092371.tif 000009
【図８】
2008092371.tif 000010
【図９】
2008092371.tif 000011